(57)【要約】【課題】集合住宅の各住戸にケーブルを配索する作業を効率化すると共に、見栄えを良くすることができる良好な集合住宅用分岐付きケーブル及びその配線方法を提供する。【解決手段】複数の分岐線ケーブル３５を幹線ケーブル３３の分岐部に予め分岐接続した集合住宅用分岐付きケーブル３０が、集合住宅３１を構成する建物本体３２とべた基礎５０との間の床下空間５４に屋外から引き込まれて転がし配線される。各分岐線ケーブル３５は、床上に配置された点検用ボックス４０内に収容された分岐部から集合住宅３１の各住戸に立ち上げ配線される。【選択図】　　　図１
2004064923.tif 000002
【特許請求の範囲】
【請求項１】
集合住宅を構成する上部構造体と基礎部分との間の床下空間に屋外から引き込まれて転がし配線される幹線ケーブルと、該幹線ケーブルの分岐部に予め分岐接続されて各住戸に立ち上げ配線される分岐線ケーブルとを備えた集合住宅用分岐付きケーブルであって、
前記分岐部が、互いに平行に延びる一対の幹線ケーブル端末の導体と、これら幹線ケーブル端末に対向して延びる分岐線ケーブル端末の導体とを電気的に接続した後、モールド絶縁被覆してなることを特徴とする集合住宅用分岐付きケーブル。
【請求項２】
複数の分岐線ケーブルを幹線ケーブルの分岐部に予め分岐接続した分岐付きケーブルが、集合住宅を構成する上部構造体と基礎部分との間の床下空間に屋外から引き込まれて転がし配線されると共に、
前記各分岐線ケーブルが、床上に配置された前記分岐部から前記集合住宅の各住戸に立ち上げ配線されることを特徴とする集合住宅用分岐付きケーブルの配線方法。
【発明の詳細な説明】
【０００１】
【発明の属する技術分野】
本発明は集合住宅用分岐付きケーブル及びその配線方法に関し、特に、集合住宅の各住戸にケーブルを配索する作業を効率化する為の集合住宅用分岐付きケーブル及びその配線方法に関する。
【０００２】
【従来の技術】
図７及び図８に示した集合住宅１は、プレハブ工法等による建物本体２の内側に階段室３を設けた内階段タイプの二階建て集合住宅であり、各階層に四つの住戸が横に並んでいる。
隣接する二つの住戸は、共通する階段室３を介してそれぞれ玄関を利用しており、二階の各住戸は共通する階段４を利用している。
【０００３】
各住戸の配線工事が完了した住戸分電盤１０は、図８に示したように、共用部である階段室３に面して設置された積算電力計１１にそれぞれ接続され、各積算電力計１１には、分岐ボックス２１を介して幹線ケーブル２０に接続された分岐ケーブル２３が接続される。
【０００４】
【発明が解決しようとする課題】
ところで、前記幹線ケーブル２０の配線は、例えば図７に示したように、建物本体２の外壁に露出配線方式にて行うのが一般的である。
そこで、前記幹線ケーブル２０が建物本体２の外観部に露出し、美観上好ましくないという問題がある。
【０００５】
又、図８に示したように、建物本体２の短手方向の一側面（図７中、左側面）に設置された引込開閉器２５を介して、引込線２７に一端が接続された前記幹線ケーブル２０は、建物本体２の長手方向の外壁に沿って敷設される。
そこで、前記幹線ケーブル２０を前記階段室３の外壁にも沿って敷設しなければならず、ケーブル長が長くなると共に該幹線ケーブル２０を外壁に止める為のサドルも多数必要となり、材料費及び取付工数が嵩むという問題がある。また、前記幹線ケーブル２０は、人の触れる位置にケーブルがこないように外壁に取付けなければならないので、高所での取付作業となり、作業性が良くない。
【０００６】
更に、前記幹線ケーブル２０の配線作業では、施工現場において作業者が所定の分岐ボックス２１の位置まで幹線ケーブル２０を敷設した後、各分岐ケーブル２３との結線作業を行わなければならないので、作業工数が増えると共に接続ミスが起こる可能性がある。
【０００７】
従って、本発明の目的は上記課題を解消することに係り、集合住宅の各住戸にケーブルを配索する作業を効率化すると共に、見栄えを良くすることができる良好な集合住宅用分岐付きケーブル及びその配線方法を提供することである。
【０００８】
【課題を解決するための手段】
本発明の上記目的は、集合住宅を構成する上部構造体と基礎部分との間の床下空間に屋外から引き込まれて転がし配線される幹線ケーブルと、該幹線ケーブルの分岐部に予め分岐接続されて各住戸に立ち上げ配線される分岐線ケーブルとを備えた集合住宅用分岐付きケーブルであって、前記分岐部が、互いに平行に延びる一対の幹線ケーブル端末の導体と、これら幹線ケーブル端末に対向して延びる分岐線ケーブル端末の導体とを電気的に接続した後、モールド絶縁被覆してなることを特徴とする集合住宅用分岐付きケーブルにより達成される。
【０００９】
また、本発明の上記目的は、複数の分岐線ケーブルを幹線ケーブルの分岐部に予め分岐接続した分岐付きケーブルが、集合住宅を構成する上部構造体と基礎部分との間の床下空間に屋外から引き込まれて転がし配線されると共に、前記各分岐線ケーブルが、床上に配置された前記分岐部から前記集合住宅の各住戸に立ち上げ配線されることを特徴とする集合住宅用分岐付きケーブルの配線方法により達成される。
【００１０】
上記構成の集合住宅用分岐付きケーブル及びその配線方法によれば、分岐付きケーブルにおける幹線ケーブルと、該幹線ケーブルの分岐部に予め分岐接続されて各住戸に立ち上げ配線される分岐線ケーブルとが、予め工場内で配線されるので、施工現場での作業工数が減り、接続ミスも生じない。
【００１１】
又、前記分岐付きケーブルは、上部構造体と基礎部分との間の床下空間に屋外から引き込まれて転がし配線され、幹線ケーブルが建物の外観部に露出しないので、美観上好ましい。
更に、床下空間に転がし配線される幹線ケーブルは、サドル等の固定具により固定する必要がないので、固定具が不要となると共に固定作業もいらない。又、前記幹線ケーブルは、防火区画ではない共用部分である床下空間の基礎部分に転がし配線されるので、基礎部分との間に特別な防火構造を設ける必要がない。
【００１２】
又、前記各分岐線ケーブルは、床上に配置された分岐部から各住戸に立ち上げ配線されるので、前記幹線ケーブルが床下空間に転がし配線されているにも関わらず、該分岐部を点検可能とすることができる。
更に、前記分岐部が、互いに平行に延びる一対の幹線ケーブル端末の導体と、これら幹線ケーブル端末に対向して延びる分岐線ケーブル端末の導体とを電気的に接続した後、モールド絶縁被覆して構成されている。
そこで、床下空間に転がし配線された幹線ケーブルから分岐線ケーブルを立ち上げ配線して該当分岐部を床上に配置する際、該幹線ケーブルを無理に曲げる必要がなく、作業性が良くなる。
【００１３】
【発明の実施の形態】
以下、添付図面に基づいて本発明の一実施形態に係る集合住宅用分岐付きケーブル及びその配線方法を詳細に説明する。
図１乃至図３に示した集合住宅３１は、図７及び図８に示した集合住宅１と同様に、プレハブ工法等による建物本体３２の内側に階段室３を設けた内階段タイプの二階建て集合住宅であり、各階層に四つの住戸が横に並んでいる。
隣接する二つの住戸は、共通する階段室３を介してそれぞれ玄関を利用しており、二階の各住戸は共通する階段４を利用している。
【００１４】
上部構造体である前記建物本体３２は、図１に示したように、基礎部分であるべた基礎５０の上に支承されており、これら建物本体３２とべた基礎５０との間には、床下空間５４が形成されている。
又、前記べた基礎５０の所定の立上り壁５１には、円形のケーブル敷設口５２が形成されている（図４、参照）。尚、ケーブル敷設口５２は、前記立上り壁５１の上縁に切欠き形成することもできる。
【００１５】
そして、図１及び図２に示したように、複数の分岐線ケーブル３５を幹線ケーブル３３の分岐部３６に予め分岐接続した集合住宅用分岐付きケーブル（以下、単に分岐付きケーブルとも云う）３０が、前記床下空間５４に屋外から引き込まれて転がし配線されると共に、前記各分岐線ケーブル３５が、床５５の上に配置された分岐部３６から前記建物本体３２の各住戸に立ち上げ配線されている。
【００１６】
前記分岐付きケーブル３０は、図５に示したように、前記建物本体３２とべた基礎５０との間の床下空間５４に屋外から引き込まれて転がし配線される幹線ケーブル３３と、該幹線ケーブル３３の分岐部３６に予め分岐接続されて各住戸に立ち上げ配線される複数の分岐線ケーブル３５とを備えている。
【００１７】
また、前記分岐部３６は、図６に示したように、互いに平行に延びる一対の幹線ケーブル（行き帰り２線の幹線ケーブル）３３，３３の端末の導体３３ａ，３３ａと、これら幹線ケーブル３３，３３の端末に対向して延びる複数の分岐線ケーブル３５の端末の導体３５ａとを圧縮コネクタ３７で電気的に接続した後、塩化ビニル樹脂等の絶縁材料３８によりモールド絶縁被覆して形成されている。
【００１８】
即ち、本実施形態における集合住宅用分岐付きケーブル３０によれば、分岐付きケーブルにおける幹線ケーブル３３と、該幹線ケーブル３３の分岐部３６に予め分岐接続されて各住戸に立ち上げ配線される複数の分岐線ケーブル３５とが、高度に品質管理された工場内で予め配線される。
そこで、施工現場での分岐接続作業を省略することができ、作業工数が減ると共に接続ミスも生じない。
【００１９】
次に、上記集合住宅用分岐付きケーブル３０の配線方法を説明する。
先ず、上記べた基礎５０が施工された段階で、所定の立上り壁５１に形成された前記各ケーブル敷設口５２に、屋外から引き込こんだ前記分岐付きケーブル３０を順次挿通し、床下空間５４に転がし配線する。
【００２０】
ここで、床下空間５４に転がし配線された前記分岐付きケーブル３０の幹線ケーブル３３は、サドル等の固定具により固定する必要がなく、各ケーブル敷設口５２に挿通させるだけで良い。
即ち、前記幹線ケーブル３３の配線には、固定具が不要となると共に固定作業もいらない。又、前記幹線ケーブル３３は、防火区画ではない共用部分である床下空間５４のべた基礎５０に転がし配線されるので、前記立上り壁５１の各ケーブル敷設口５２との間には、耐火性充填剤等の特別な防火構造を設ける必要がない。
【００２１】
次に、前記床５５の所定位置に形成されたケーブル敷設孔より、各分岐線ケーブル３５と共に分岐部３６を床５５の上に引き出す。
この際、該当分岐部３６と共に幹線ケーブル３３，３３の分岐接続部分も床上に引き上げられるが、該幹線ケーブル３３，３３の分岐接続部分においては、図４乃至図６に示したように、互いに平行に上方へ延びる一対の幹線ケーブル３３，３３の端末と、これら幹線ケーブル３３，３３の端末に対向して下方に延びる分岐線ケーブル３５の端末とが接続されている。即ち、行き帰り２線である幹線ケーブル３３，３３の端末と、各分岐線ケーブル３５の端末とが電気的に接続されている。
【００２２】
そこで、前記分岐部３６から下方に延びる各幹線ケーブル３３を略直角に湾曲するように曲げれば良く、折り返すように無理に曲げる必要がないので、分岐部３６を容易に引き上げることができ、作業性が良い。勿論、幹線ケーブル３３を無理に折り曲げて、ケーブルの損傷を招く虞もない。
【００２３】
そして、床５５の上に配置された分岐部３６は、図４に示したように、点検用ボックス４０内に収容される。
前記点検用ボックス４０は、上下にケーブルが貫通される箱体４１と、該箱体４１の全面開口を覆う開閉扉４２とを備えており、敷設後の分岐付きケーブル３０における分岐部３６の点検を可能とする。
尚、前記床５５の上に引き出された前記各分岐線ケーブル３５は、建物本体３２の施工が完了するまでの間、作業の邪魔にならないように前記点検用ボックス４０の近傍に纏められる。
【００２４】
そして、前記べた基礎５０の上に建物本体３２が施工された後、図１及び図２に示したように、各分岐線ケーブル３５が各住戸毎に立ち上げ配線される。
立ち上げ配線された各分岐線ケーブル３５の先端は、階段室３に面して設置された各住戸の積算電力計１１に接続される。該積算電力計１１は、図３に示したように、配線工事が完了した各住戸の住戸分電盤１０に接続されている。
【００２５】
また、前記幹線ケーブル３３の基端側は、建物本体３２の短手方向の一側面（図２中、左側面）に設置された分電盤２９及び引込開閉器２５を介して、引込線２７に接続されている。
即ち、本実施形態の集合住宅用分岐付きケーブル３０の配線方法によれば、該集合住宅用分岐付きケーブル３０が、建物本体３２とべた基礎５０との間の床下空間５４に屋外から引き込まれて転がし配線されるので、図２に示したように、幹線ケーブル３３は建物の外観部に露出せず、分岐線ケーブル３５のみが露出するので、建物本体３２の外壁に露出する部分が少なくなり、美観上好ましい。
【００２６】
また、前記幹線ケーブル３３は、建物本体３２とべた基礎５０との間の床下空間５４に転がし配線されるので、図３に示したように、該建物本体３２の長手方向に沿って直線的に敷設することができる。
そこで、図８に示したように建物本体２の外壁に沿って敷設していた従来の幹線ケーブル２０に比べて、前記幹線ケーブル３３のケーブル長を短くでき、該幹線ケーブル３３を固定する為のサドル等の固定具も不要となるので、材料費及び取付工数を削減してコストダウンを図ることができる。
【００２７】
更に、前記幹線ケーブル３３は、防火区画ではない前記床下空間５４に転がし配線されるので、ケーブルが貫通する各住戸間の仕切り部分には、例えば天井空間に配線する場合のような特別な防火構造を設ける必要がなく、コスト上昇を招くこともない。
【００２８】
又、前記各分岐線ケーブル３５は、図４に示したように、床上に配置された点検用ボックス４０内に収容された分岐部３６から各住戸に立ち上げ配線されるので、前記幹線ケーブル３３が床下空間５４に転がし配線されているにも関わらず、集合住宅３１の施工後も、該分岐部３６を点検可能とすることができる。
【００２９】
従って、本実施形態の集合住宅用分岐付きケーブル３０の配線方法によれば、集合住宅３１の各住戸にケーブルを配索する作業を効率化すると共に、見栄えを良くすることができる。
尚、本発明の集合住宅用分岐付きケーブル及びその配線方法は、上記実施形態の構成に限定されるものではなく、本発明の趣旨に基づいて種々の形態を採り得ることは云うまでもない。
【００３０】
例えば、上記実施形態においては、各住戸の積算電力計１１が、各分岐線ケーブル３５の先端に接続されているが、建物本体３２の短手方向の一側面に集中計器盤として設置することもできる。
また、上記実施形態においては、建物本体３２の内側に階段室３を設けた内階段タイプの二階建て集合住宅３１について説明したが、本発明は外階段タイプや、平屋建て又は三階建て以上等の種々の集合住宅にも適用できることは勿論である。
【００３１】
【発明の効果】
以上の説明より明らかなように、本発明の集合住宅用分岐付きケーブルによれば、分岐付きケーブルにおける幹線ケーブルと、該幹線ケーブルの分岐部に予め分岐接続されて各住戸に立ち上げ配線される分岐線ケーブルとが、予め工場内で配線されるので、施工現場での作業工数が減り、接続ミスも生じない。
【００３２】
又、本発明の集合住宅用分岐付きケーブルの配線方法によれば、分岐付きケーブルが、上部構造体と基礎部分との間の床下空間に屋外から引き込まれて転がし配線され、幹線ケーブルが建物の外観部に露出しないので、美観上好ましい。
【００３３】
更に、床下空間に転がし配線される幹線ケーブルは、サドル等の固定具により固定する必要がないので、固定具が不要となると共に固定作業もいらない。又、前記幹線ケーブルは、防火区画ではない共用部分である床下空間の基礎部分に転がし配線されるので、基礎部分との間に特別な防火構造を設ける必要がない。
そこで、前記分岐付きケーブルの材料費及び取付工数を削減してコストダウンを図ると共に、特別な防火構造によるコスト上昇を抑えることができる。
【００３４】
又、前記各分岐線ケーブルは、床上に配置された分岐部から各住戸に立ち上げ配線されるので、前記幹線ケーブルが床下空間に転がし配線されているにも関わらず、該分岐部を点検可能とすることができる。
更に、前記分岐部が、互いに平行に延びる一対の幹線ケーブル端末の導体と、これら幹線ケーブル端末に対向して延びる分岐線ケーブル端末の導体とを電気的に接続した後、モールド絶縁被覆して構成されている。
【００３５】
そこで、床下空間に転がし配線された幹線ケーブルから分岐線ケーブルを立ち上げ配線して該当分岐部を床上に配置する際、該幹線ケーブルを無理に曲げる必要がなく、作業性が良くなる。
従って、集合住宅の各住戸にケーブルを配索する作業を効率化すると共に、見栄えを良くすることができる。
【図面の簡単な説明】
【図１】本発明の一実施形態に係る集合住宅用分岐付きケーブルの配線方法を説明する為の集合住宅の概略縦断面図である。
【図２】図１に示した集合住宅の部分破断正面図である。
【図３】図１に示した集合住宅の概略水平断面図である。
【図４】図１に示した集合住宅用分岐付きケーブルの要部拡大断面斜視図である。
【図５】図１に示した集合住宅用分岐付きケーブルの全体構成図である。
【図６】図５に示した分岐部の拡大縦断面図である。
【図７】従来の幹線ケーブルの配線状態を説明する為の集合住宅の部分破断正面図である。
【図８】図７に示した集合住宅の概略水平断面図である。
【符号の説明】
３０　集合住宅用分岐付きケーブル
３１　集合住宅
３２　建物本体（上部構造体）
３３　幹線ケーブル
３５　分岐線ケーブル
３６　分岐部
５０　べた基礎（基礎部分）
５４　床下空間
【図１】
2004064923.tif 000003
【図２】
2004064923.tif 000004
【図３】
2004064923.tif 000005
【図４】
2004064923.tif 000006
【図５】
2004064923.tif 000007
【図６】
2004064923.tif 000008
【図７】
2004064923.tif 000009
【図８】
2004064923.tif 000010